(57)【要約】【課題】最上シートと静電吸着ベルトの吸着面との間にたまることを防止し、最上シートを静電吸着ベルトに安定的に吸着する。【解決手段】シート束１から最上シート１Ａを分離して搬送するシート搬送装置１０である。シート束１を収納するシート収納部１１と、シート束１を垂直方向に昇降させるシート昇降部材１２と、シート束１の上方に位置させ、最上シート１Ａを静電吸着する無端状の２本の静電吸着ベルト１３Ａ、１３Ａを隙間Ｋを空けて配置した静電吸着ベルト装置１３と、シート収納部１１に収納されたシート束１の最上シート１Ａの近傍位置で、静電吸着ベルトの吸着面の位置より下方から静電吸着ベルトの間の隙間に向けエアーを送風することにより、最上シートおよび最上シートより下方のシートを浮揚させて、最上シートを分離するエアー送風部１４とから構成する。【選択図】図３
2014062000.tif 000002
【特許請求の範囲】
【請求項１】
シート束を収納するシート収納部と、
前記シート束を垂直方向に昇降させるシート昇降手段と、
前記シート束の上方に位置させ、最上シートを静電吸着する無端状の静電吸着ベルトを複数、それぞれ隙間を空けて配置した静電吸着ベルト装置と、
前記シート収納部に収納された前記シート束の最上シート近傍位置で、前記静電吸着ベルトの吸着面の位置より下方から前記静電吸着ベルトの間の隙間に向けエアーを送風することにより、前記最上シートおよび前記最上シートより下方のシートを浮揚させて、前記最上シートを分離するエアー送風部と、
を備えることを特徴とするシート搬送装置。
【請求項２】
前記複数の静電吸着ベルトの間であり、前記最上シートが前記静電吸着ベルトに吸着される前に前記エアー送風部から送風される前記エアーが前記静電吸着ベルトの間の隙間を通過する範囲であり、かつ前記エアー送風部からの前記エアーの一部が当たる位置に、前記エアー送風部からの前記エアーを反射するエアー反射板を配置したことを特徴とする請求項１に記載のシート搬送装置。
【請求項３】
前記エアー反射板を、前記最上シートが吸着した際に送風部から送られた前記エアーを最上シート近傍のシート上面へと送るように切り替える駆動手段を備えることを特徴とする請求項２に記載のシート搬送装置。
【請求項４】
複数の前記静電吸着ベルトの間の隙間には、前記最上シートが浮揚していない状態で、前記エアー送風部からのエアーが前記静電吸着ベルトの間の隙間を通過することが可能な領域に、前記静電吸着ベルトの吸着面から飛び出し、浮揚した前記最上シートが前記静電吸着ベルトの間の隙間をおおったとき、この最上シートを変形させ、前記最上シートと前記最上シートの次のシートとの間にエアーが入りこむ空間を形成する、少なくとも一つの突起部材を備えることを特徴とする請求項１から請求項３のいずれか一項に記載のシート搬送装置。
【請求項５】
前記突起部材は、前記最上シートの移動に伴って回転する回転部材を備えることを特徴とする請求項４に記載のシート搬送装置。
【請求項６】
前記突起部材の前記静電吸着ベルトの吸着面からの飛び出し量を変更する飛び出し量変更手段を備えることを特徴する請求項４または請求項５に記載のシート搬送装置。
【請求項７】
前記エアー送風部は、
前記シート収納部に収納された前記シート束の前記最上シート近傍位置で、前記静電吸着ベルトの吸着面の位置より下方から前記静電吸着ベルトの間に向けエアーを送風することにより、前記最上シートと前記最上シートより下位のシートと間を分離する第１のエアー送風部と、
前記静電吸着ベルトの吸着面の位置より下方から複数の前記静電吸着ベルトの下部に向けてエアーを送風して、前記最上シートを前記静電吸着ベルトの吸着面まで浮揚させ、かつ前記最上シートおよび前記シート束における前記最上シートより下位のシート浮揚と分離を行う第２のエアー送風部と、
を備えることを特徴とする請求項１から請求項６のいずれか一項に記載のシート搬送装置。
【請求項８】
前記第２のエアー送風部は、前記第２のエアー送風部のノズル上部の送風方向の延長線上と吸着面との交点が、前記最上シートの搬送下流側の端部位置付近から前記最上シートの搬送下流側の端部位置より上流側となるよう上下方向に移動できるエアー移動手段を備えることを特徴とする請求項７に記載のシート搬送装置。
【請求項９】
前記第１のエアー送風部から送風される前記エアーと前記静電吸着ベルトのシート搬送面とがなす角度は、前記第２のエアー送風部から送風される前記エアーとシート搬送面とがなす角度よりも大きいことを特徴とする請求項７または請求項８に記載のシート搬送装置。
【請求項１０】
前記静電吸着ベルトの周辺には、前記最上シートのうち前記静電吸着ベルトの外の部分に吸着面より上部に吹き上げられることを防ぐ浮揚防止板を備え、
前記浮揚防止板は、表面位置を前記静電吸着ベルトの吸着面の高さとの差が０〜１ｍｍとしたことを特徴とする請求項１から請求項９のいずれか一項に記載のシート搬送装置。
【請求項１１】
前記浮揚防止板は、エアー送風部から送風されるエアーを通過させるための穴部を開設してあることを特徴とする請求項１０に記載のシート搬送装置。
【請求項１２】
前記エアー送風部から送風されるエアー量を変更するエアー量変更手段を備えることを特徴とする請求項１から請求項１１のいずれか一項に記載のシート搬送装置。
【請求項１３】
請求項１から請求項１２のいずれか一項に記載のシート搬送装置と、このシート搬送装置に画像形成処理を行う画像形成部を備えることを特徴とする画像形成装置。
【発明の詳細な説明】
【技術分野】
【０００１】
本発明は、電子写真方式、静電記録方式等を利用したファクシミリ、プリンター、複写機、これらの少なくとも２つの機能を有する複合機等の画像形成装置に用いるシート搬送装置と、これを備えた画像形成装置に関する。
【背景技術】
【０００２】
複写機やプリンター等の画像形成装置に用いられるシート搬送装置として、図２５に示すエアー吸引式のシート搬送装置が広く知られている（特許文献１参照）。
【０００３】
図２５に示すシート搬送装置１０１は、シート収納部１１１の上方に給紙ベルト１１２Ｃを備えたシート吸着搬送部１１２が設けられており、シート収納部１１１上に積載された複数枚のシートからなるシート束１０２の、垂直方向の一番上にあるシート１０２Ａ（以下「最上シート１０２Ａ」とする）をエアー吸引部１１３によって１枚ずつ給紙ベルト１１２Ｃに吸着し、最上シート１０２Ａを所定の位置へ搬送するように構成されている。シート収納部１１１の搬送下流側にはエアー送風部１１４が設けられており、エアーをシート束１０２の一端に送風することにより、積載されたシート束１０２を分離するようになっている。
【０００４】
シートの搬送下流側には下流側最上シート検出手段１１５が設けられており、エアー送風部１１４によるシートの浮き上がり等の影響を受けないシート搬送上流側には上流側最上シート検出手段１１６が設けられている。上流側最上シート検出手段１１６は、位置検出部１１６Ａと、位置検出レバー１１６Ｂとを有している。シート収納部１１１は、シート昇降手段１１８に接続されており、昇降可能である。最上シート１０２Ａが位置検出レバー１１６Ｂに接触すると、位置検出レバー１１６Ｂが垂直上方へ押し上げられるように構成されている。給紙ベルト１１２Ｃの表面には、全域にわたって多数の吸引孔（図示せず）が形成されており、吸引孔およびエアー吸引部１１３を介して給紙ベルト１１２Ｃに最上シート１０２Ａを吸着し、シートの搬送を行う。
【０００５】
以上の構成によるシート搬送動作は以下の通りである。まず、シート搬送動作開始前にシート昇降手段１１８によってシート昇降部材１１１Ａを上昇させ、積載されたシート１０２の最上シート１０２Ａの搬送下流側の端部が下流側最上シート検出手段１１５に検出される。この最上シート１０２Ａ検出位置を基準位置として上流側最上シート検出手段１１６に記憶させる。
【０００６】
次に、図２６に示すようにエアー送風部１１４によって積載されたシート１０２に分離エアーＡを送風し、積載されたシート束１０２を分離する。そして、エアー吸引部１１３によって最上シート１０２Ａを給紙ベルト１１２Ｃに吸着させ、給紙ベルト１１２Ｃを回転させて、吸着したシートを所定位置に搬送する。シート搬送によりシート収納部１１１内のシート１０２が減り、最上シート１０２Ａの垂直方向位置が下がり、上流側最上シート検出手段１１６が記憶した基準位置外の状態となったときには、シート昇降手段１１８によって上昇させる。最上シート１０２Ａの垂直方向位置がそれほど下がっておらず、上流側最上シート検出手段１１６が基準位置を検出している状態のときには、シート搬送動作を継続する。
【０００７】
以上のようなエアー吸引式のシート搬送装置は数多く知られているが、図１８および図１９に示した例で述べれば、いずれもエアー吸引部１１３を吸引して真空状態にすることにより負圧を発生させ、給紙ベルト１１２Ｃに最上シート１０２Ａを吸着させる方式であるため、過度な負圧によってはシート表面にダメージを与えることが考えられ、例えば、給紙ベルト１１２Ｃ表面の吸引孔がシート表面に転写してしまう場合がある。
【０００８】
すなわち、エアー吸着の場合、吸着力が強いので、下流側からベルトに向けて分離エアーＡを吹き付けても、最上シートがはがれ落ちる問題は少なく、２枚目以降の紙を確実に押し下げることができるが、エアー吸着は吸引力が強すぎてシートにダメージを与えるため、より弱い吸着力で静電的に吸着させる静電吸着ベルトを用いる方法が提案されている。
【発明の概要】
【発明が解決しようとする課題】
【０００９】
静電吸着ベルトを用いるシート搬送装置は、最上シート吸着に静電吸着力（クーロン力）を用いるため、エアー吸引式の吸着方式のようなシート表面へのダメージはない。
【００１０】
しかしながら、シートの分離を行うため、静電吸着方式のシート搬送装置にエアー送風部を設け、シートの分離を行うためエアーを送風すると、最上シートと静電吸着ベルトの吸着面の間にエアーがたまり、最上シートを安定的に吸着できないという問題がある。
【００１１】
本発明は上述の点にかんがみてなされたものであり、搬送する最上位シートと静電吸着ベルトとの間にエアーがたまらず、最上シートを静電吸着ベルトに安定的に吸着することができるシート搬送装置、および画像形成装置を提供することを目的とする。
【課題を解決するための手段】
【００１２】
本発明に係るシート搬送装置は、シート束を収納するシート収納部と、前記シート束を垂直方向に昇降させるシート昇降手段と、前記シート束の上方に位置させ、最上シートを静電吸着する無端状の静電吸着ベルトを複数、それぞれ隙間を空けて配置した静電吸着ベルト装置と、前記シート収納部に収納された前記シート束の最上シート近傍位置で、前記静電吸着ベルトの吸着面の位置より下方から前記静電吸着ベルトの間の隙間に向けエアーを送風することにより、最上シートおよび最上シートより下方のシートを浮揚させて、前記最上シートを分離するエアー送風部と、を備えることを特徴とする。
【発明の効果】
【００１３】
本発明によれば、エアー送風部からのエアーを静電吸着ベルトの間の隙間を通過させることで、最上シートと静電吸着ベルトの吸着面との間にたまることを防止し、最上シートを静電吸着ベルトに安定的に吸着することができる。
【図面の簡単な説明】
【００１４】
【図１】本発明に係るシート搬送装置を装備し得る画像形成装置の一例を示す概略構成図である。
【図２】本発明に係るシート搬送装置の実施形態１に係るシート搬送装置を示す側面図である。
【図３】同シート搬送装置を示す平面図である。
【図４】同シート搬送装置におけるエアーの状態を示すものであり、（ａ）はエアー反射板を設けない場合を示す模式図、（ｂ）、（ｃ）はエアー反射板を備えた場合を示す模式図である。
【図５】同シート搬送装置におけるシートの搬送状態を示すものであり、（ａ）、（ｂ）、は搬送状態を順次示す模式図である。
【図６】シート搬送装置の電極埋め込み型の静電吸着ベルトを示すものであり、（ａ）はその構成を示す模式図、（ｂ）は最上シートに対する静電吸着ベルトの吸着面に設けた排気孔の位置を示す模式図である。
【図７】上質紙を代表とした非塗工紙とコート紙を代表とした塗工紙の異なる種類のシートに対し、シート坪量とシートサイズに応じた間隔とエアー量の組み合わせを示したテーブルを示す図である。
【図８】本発明に係るシート搬送装置の実施形態２に係るシート搬送装置の静電吸着ベルトの配置状態を示すものであり、（ａ）は第１の状態を示す模式図、（ｂ）は第２の状態を示す模式図、（ｃ）は駆動力伝達機構を示す模式図である。
【図９】本発明に係るシート搬送装置の実施形態３に係るシート搬送装置の駆動ローラと従動ローラの位置を示すものであり、（ａ）は吸着位置を示す模式図、（ｂ）は搬送位置を示す模式図である。
【図１０】本発明に係るシート搬送装置の実施形態４に係るシート搬送装置を示すものであり、（ａ）、（ｂ）は第１のエアー送風部の動作を示す模式図、（ｃ）は第２のエアー送風部の動作を示す模式図である。
【図１１】同シート搬送装置を示す平面図である。
【図１２】同シート搬送装置のエアーの送風状態を図１０中Ｚ方向から見たものであり、（ａ）、（ｂ）はシート搬送装置の搬送動作を順次示す模式図である。
【図１３】同シート搬送装置のエアー送風部からの送風角度を示すものであり、（ａ）はエアー送風状態を示す模式図、（ｂ）はエアー送風角度を示す表である。
【図１４】上質紙を代表とした非塗工紙とコート紙を代表とした塗工紙の異なる種類のシートに対し、シート坪量とシートサイズに応じた間隔とエアー量の組み合わせを示したテーブルを示す図である。
【図１５】本発明に係るシート搬送装置の実施形態５に係るシート搬送装置を示す側面図である。
【図１６】同シート搬送装置の搬送ガイド板の作用を示すものであり、（ａ）は最上シートを吸着して搬送する状態を図１４の右側から見て示す図、（ｂ）は押し下げエアー送風部からのエアーの一部が搬送ガイド板内でシートの下面で反射されて下向きに流れる押し下げエアーとして作用する状態を示す拡大図である。
【図１７】同シート搬送装置の搬送ガイド板の他の例を示すものであり、（ａ）は搬送ガイド板の通気孔の形成例を示す図、（ｂ）は搬送ガイド板の形状と位置を示す図である。
【図１８】本発明に係るシート搬送装置の実施形態６に係るシート搬送装置を示すものであり、（ａ）は正面図、（ｂ）は（ａ）中のＡ方向からの矢視図である。
【図１９】同シート搬送装置の動作を示すものであり、（ａ）は側面図、（ｂ）は（ａ）中のＡ方向からの矢視図である。
【図２０】同シート搬送装置の動作を示すものであり、（ａ）は側面図、（ｂ）は（ａ）中のＡ方向からの矢視図である。
【図２１】同シート搬送装置の動作を示すフローチャートである。
【図２２】本発明に係るシート搬送装置の実施形態７に係るシート搬送装置を示すものであり、（ａ）は側面図、（ｂ）は（ａ）中のＡ方向からの矢視図である。
【図２３】同シート搬送装置の動作を示すものであり、（ａ）は側面図、（ｂ）は（ａ）中のＡ方向からの矢視図である。
【図２４】同シート搬送装置の動作を示すものであり、（ａ）は側面図、（ｂ）は（ａ）中のＡ方向からの矢視図である。
【図２５】従来のエアー吸引式のシート搬送装置の一例を示す模式図である。
【図２６】図２５に示したシート搬送装置の動作状態を示す模式図である。
【発明を実施するための形態】
【００１５】
本発明を実施するための形態に係るシート搬送装置、および画像形成装置について説明する。
【００１６】
図１は本発明に係るシート搬送装置を装備し得る画像形成装置の一例を示す概略構成図である。なお、本発明の実施対象とする画像形成装置は、図示のものには限定されず、複写機、ファクシミリ装置、複写機能とファクシミリ機能等を備えた複合機等の機能を有するもの等々、画像形成を行う種々の装置が対象となる。
【００１７】
図１において、画像形成装置の一例としての複写機１００は、原稿トレイ１１０ａに配置された原稿束から原稿を１枚分離して原稿読取部１２０上のコンタクトガラスに自動給紙する自動原稿搬送装置１１０とを備える。また、複写機１００は、自動原稿搬送装置１１０によってコンタクトガラス上に搬送された原稿を読み取る原稿読取部１２０と、画像形成部（画像形成手段）１４０とを備える。画像形成部１４０は、給紙部１３０から給紙されたシート材に対して、画像形成処理を施し原稿読取部１２０によって読み取った画像を形成する。さらに、複写機１００は、シート束１から最上位に位置する最上シート１Ａを画像形成部１４０に給紙する給紙部１３０を備えている。なお、本実施の形態では、画像形成部１４０と給紙部１３０とは分割可能となっているが、そうでない構成でもよい。
【００１８】
給紙部１３０は、複数枚のシートからなるシート束１を積載する給紙カセット１５０と、給紙カセット１５０上のシート束１から最上シート１Ａを分離して搬送するシート分離給紙装置１６０とを含んで構成してある。
【００１９】
シート分離給紙装置１６０によって分離給紙されたシートは、搬送経路１７０上を搬送されるようになっている。搬送経路１７０上を搬送されるシートは、搬送ローラ対１８０により搬送され、転写ローラ１９０によって画像形成部１４０で形成されたトナー画像が転写される。さらに、シートに転写されたトナー画像は定着器２００によって熱定着され、シートは排紙ローラ対２１０により排紙トレイ２２０に排出される。
【００２０】
画像形成部１４０は、４つの作像部２３０（２３０Ｙ（イエロー）、２３０Ｃ（シアン）、２３０Ｍ（マゼンタ）、２３０ＢＫ（ブラック））と、転写ベルトである中間転写ベルト２４０と、露光装置２５０とから構成してある。
【００２１】
露光装置２５０は、画像データを光源駆動用の信号に変換し、それに従い各レーザー光源ユニット内の半導体レーザーを駆動して光ビームを射出するようになっている。画像データは、パーソナルコンピュータ、ワードプロセッサ等から入力される色分解された画像データや、原稿読取部１２０によって読み取られた原稿のものを使用する。
【００２２】
作像部２３０Ｙ、２３０Ｃ、２３０Ｍ、２３０ＢＫは、それぞれ異なる色の画像（トナー像）を形成する。作像部２３０Ｙ、２３０Ｃ、２３０Ｍ、２３０ＢＫは、時計回転方向に回転駆動される像担持体である感光体２６０（２６０Ｙ、２６０Ｃ、２６０Ｍ、２６０ＢＫ）、感光体２６０の周囲に配置された帯電部２７０、現像部２８０、クリーニング部２９０等により構成されている。
【００２３】
感光体２６０は、円筒状に形成され、図示しない駆動源により回転駆動される。感光体２６０の外周面部には感光層が設けられており、露光装置２５０から射出された破線で示す光ビームが感光体２６０の外周面にスポット照射されることにより、感光体２６０の外周面には画像情報に応じた静電潜像が書き込まれる。
【００２４】
帯電部２７０は、感光体２６０の外周面を一様に帯電するもので、感光体２６０に対して接触方式のものが採用されている。現像部２８０は、感光体２６０にトナーの供給を行い、供給されたトナーが感光体２６０の外周面に書き込まれた静電潜像に付着することにより、感光体２６０上の静電潜像がトナー像として顕像化させる。感光体２６０に対して非接触方式のものが採用されている。
【００２５】
クリーニング部２９０は、感光体２６０の外周面に付着している残留トナーをクリーニングするもので、感光体２６０の外周面にブラシを接触させるブラシ接触方式のものが採用されている。
【００２６】
中間転写ベルト２４０は、樹脂フィルム、または、ゴムを基体として形成された無端状ベルトから構成されており、感光体２６０上に形成されたトナー像が転写され、この中間転写ベルト２４０に転写されたトナー像が転写ローラ１９０によってシートに転写される。
【００２７】
＜実施形態１＞
次にシート搬送装置について説明する。図２は本発明に係るシート搬送装置の実施形態１に係るシート搬送装置を示す側面図、図３は同シート搬送装置を示す平面図、図４は同シート搬送装置の静電吸着ベルトの配置状態を示す模式図である。
【００２８】
シート搬送装置１０は、図２に示すようにシート収納部１１と、シート昇降手段であるシート昇降部材１２と、静電吸着ベルト装置１３と、突起部材１３Ｆと、エアー送風部１４と、静電吸着ベルト駆動手段１３Ｅと、シート昇降部材駆動手段１８と、図６に示すシート束１の搬送方向側端部規制部材１５Ａ、１５Ｂと、制御手段１９と、エアー反射板２０とを備えている。
【００２９】
シート昇降部材１２は水平に配置された底面部１２Ａを備えており、この底面部１２Ａ上に積層された複数枚のシートからなるシート束１を積載できる。シート収納部１１では、制御手段１９で駆動制御されシート昇降部材駆動手段１８がシート昇降部材１２を昇降駆動する。このシート昇降部材駆動手段１８が駆動されることによりシート昇降部材１２が昇降し、シート収納部１１内のシート束１を昇降することができる。
【００３０】
静電吸着ベルト装置１３は、図３に示すように、複数この例では２つの静電吸着ベルトユニット１３１、１３２を備える。各静電吸着ベルトユニット１３１、１３２は、それぞれ静電吸着ベルト１３Ａを駆動ローラ１３Ｂおよび従動ローラ１３Ｃに巻きかけて構成する。
【００３１】
静電吸着ベルトユニット１３１、１３２は、静電吸着ベルト１３Ａ、１３Ａが隙間Ｋを空けるように配置される。なお、この例では、静電吸着ベルトユニット１３１、１３２は、シート束１に対して上下方向に固定配置される。
【００３２】
静電吸着ベルトの構成について説明する。図６はシート搬送装置の電極埋め込み型の静電吸着ベルトを示すものであり、（ａ）はその構成を示す模式図、（ｂ）は最上シートに対する静電吸着ベルトの吸着面に設けた排気孔の位置を示す模式図である。静電吸着ベルト１３Ａは、図７に示すような複数の電極２１を絶縁層２２によって被覆したシート状の媒体をベルトにしたものである。複数の電極２１は、プラス電極２１Ａとマイナス電極２１Ｂが交互に配列されている。これら電極２１へ静電吸着ベルト給電装置１３Ｄによって電圧を印加すると誘電分極が発生し、最上シート１Ａの吸着面が分極するため、静電吸着ベルト１３Ａとの間に静電吸着力（クーロン力）が発生する。
【００３３】
静電吸着力により静電吸着ベルト１３Ａに吸着した最上シート１Ａは、図４（ｂ）、（ｃ）に示すように、静電吸着ベルト１３Ａに吸着した状態で静電吸着ベルト駆動手段１３Ｅが駆動して静電吸着ベルト１３Ａが回転することにより、画像形成手段（図示せず）が配置されている位置へ搬送されるように構成されている。
【００３４】
また、本構成では電極２１を絶縁層２２で被覆した静電吸着ベルト１３Ａとしたが、静電吸着ベルト上に電荷を付与して静電吸着力を発生する方式でもよく、そのための静電電荷付与手段を備えていてもよい。
【００３５】
エアー送風部１４は、図３に示すように最上シート近傍位置、すなわち最上シート１Ａの辺１Ｂ近傍の位置であって、送風口が辺１Ｂに対向する位置に設けてあり、静電吸着ベルト１３Ａの直下以外の箇所、例えば図６に示すように各静電吸着ベルトユニット１３１、１３２の隙間Ｋ直下に設けてある。このエアー送風部１４から送風されるエアーは隙間Ｋに向かうよう、方向や位置が決定されている。また、このとき、後述するようにエアー反射板２０はエアー送風部１４からのエアーを反射してエアーの分離効率を向上させる。エアー送風部１４には、エアー量変更手段を設け、エアー量を変更することができる。
【００３６】
エアー送風部１４によってエアーを送風することにより、最上シート１Ａおよび最上シート１Ａの辺１Ｂ付近のシートを浮揚させて静電吸着ベルト１３Ａに接近、あるいは接触させる。また、エアー送風することでシート間にエアーが流れ、複数のシートを互いに分離させることができる。
【００３７】
吸着面近傍を通るエアーは、図４（ｂ）、図５（ａ）に示すように、最上シートが吸着する前は各静電吸着ベルト１３Ａ、１３Ａ間の隙間Ｋへ抜けるので、静電吸着ベルト１３Ａへの最上シート１Ａの吸着を良好に行うことができる。
【００３８】
最上シート１Ａの吸着後は図５（ｃ）に示すように、最上シート１Ａによって静電吸着ベルト１３Ａ、１３Ａの隙間Ｋがふさがれるため、最上シート１Ａと次シートとの間にこのエアーが入りこみ、シート間分離を良好に行うことができる。このとき、図５（ｂ）に示し、後述する突起部材１３Ｆが最上シート１Ａと次シートとの間に隙間を形成し、両者の分離を助ける。
【００３９】
なお、本構成では辺１Ｂに対向する位置のみにエアー送風部１４を配置したが、辺１Ｄ、辺１Ｅの対向する位置に１箇所または複数箇所に配置することができる。
【００４０】
エアー反射板２０は、隙間Ｋの１４側に配置される。エアー反射板２０は、図４（ｃ）に示すように、エアー送風部１４から送風されるエアーの一部が当たり、最上シート１Ａを効率よく分離させる。
【００４１】
ここで、エアー反射板２０の作用について説明する。エアー送風部１４からのエアーを静電吸着ベルト１３Ａの隙間Ｋに送風し最上シート１Ａを静電吸着ベルト１３Ａ、１３Ａで吸着する構成では、吸着した最上シートが静電吸着ベルトの隙間Ｋをふさぐことになる。このとき、静電吸着ベルト１３Ａ、１３Ａの隙間Ｋに向けて送風するエアー送風部１４は、吸着した最上シート１Ａを下から押し上げるような位置に設置することになる。しかしこの位置では図４（ａ）に示すように、最上シート１Ａより下位の浮揚中のシートも押し上げるため、シートの浮揚作用が増してしまう。
【００４２】
薄いシートほどこの傾向は強くなり、最上シート１Ａの吸着後にエアーが最上シート１Ａと最上シート１Ａより下位のシートの間に入りこむことによるシート間分離作用がこの浮揚作用に劣り、分離が良好に行えず重送にいたるという問題がある。
【００４３】
これを解決するためには、この状態でエアー送風部１４をシート束１からなるべく離れた位置に設置し、浮揚中のシート束への影響を低減することが必要となる。このため、実施形態１に係るシート搬送装置１０では、エアー送風部１４を離れた位置に配置するとともに、各静電吸着ベルト１３Ａ、１３Ａの間の隙間Ｋの一部にエアー反射板２０を設け、エアー送風部１４によって送風されるエアーの一部を当てるものとする。
【００４４】
この構成により、最上シート１Ａの吸着前は、図４（ｂ）に示すように、エアー送風部１４から送風されるエアーの一部がエアー反射板２０に当たるが、ベルト間の上方に向かうエアーの流れに沿ってエアーは静電吸着ベルト１３Ａ、１３Ａの間の隙間Ｋに抜ける。
【００４５】
また最上シート１Ａの吸着後は、図４（ｃ）に示すように、隙間Ｋに抜けていたエアーの流路が最上シートによってふさがれるため、エアー反射板２０に当たったエアーが最上シート１Ａと最上シート１Ａより下位のシートの間にエアーが入りこむことになる。
【００４６】
このようにエアー送風部１４とエアー反射板２０と、を配置すると、エアー送風部１４の位置をよりシート束から離れた位置に設置することができ、先の問題のような、エアーによってシートの浮揚作用が分離作用より大きくなることはなくなる。また、エアー送風部１４をシート束１から遠ざけることで浮揚作用が足りなくなった場合には、浮揚用のエアー送風部を辺１Ｂや辺１Ｄ、辺１Ｅの対向する位置に一箇所または複数カ所追加で配置してもよい。
【００４７】
エアー反射板２０は、吸着面より０．５ｍｍ以上シートと反対方向にギャップを持つ位置とし、またエアー反射板２０の先端は最上シート先端より１ｍｍ以上上流の位置とし、かつ搬送方向に長さを持つ平坦なものとする。材質は、滑りがよい樹脂等を用いる。ただし、シート搬送中にシートが接触していてもシートに負担をかけない材質であれば他の素材でもよい。
【００４８】
シート束１は、図２および図３に示すように、第１の辺１Ｂと第２の辺１Ｃとからなる一対の辺と、第３の辺１Ｄと第４の辺１Ｅとからなる一対の辺とにより規定される長方形状をなしている。辺１Ｄと辺１Ｅとは、駆動ローラ１３Ｂ、従動ローラ１３Ｃを結ぶ方向に指向しており、辺１Ｂは図３において右側のシート搬送下流側に位置し、辺１Ｃは図１において左側のシート搬送上流側に位置している。
【００４９】
突起部材１３Ｆは、静電吸着ベルトユニット１３１、１３２の間に、静電吸着ベルト１３Ａの吸着面より下側に飛び出るように配置する。この突起部材１３Ｆは、最上シート１Ａの搬送時に最上シート１Ａに接触するため、シートの搬送に伴って回転する回転部材を備える。このため、搬送時の抵抗を最小限に抑え、かつ最上シート１Ａに傷をつけることなく搬送を行うことができる。また、突起部材１３Ｆは、最上シート１Ａが浮揚していない状態で、エアー送風部１４からのエアーが静電吸着ベルト１３Ａの間の隙間を通過することが可能な領域に配置される。
【００５０】
図５（ａ）に示すように、最上シート１Ａがエアーで浮上して、図５（ｂ）に示すように、最上シート１Ａが静電吸着ベルトの隙間Ｋをおおう状態となるとき、最上シート１Ａがこの突起部材１３Ｆに接触して変形する。これにより、最上シート１Ａと次シートとの間に空間ができ、この空間にエアーが入り、最上シート１Ａと次シートとの分離をより確実に行うことができる。
【００５１】
また、突起部材１３Ｆは突起量変更手段１３Ｇでその静電吸着ベルト１３Ａから下方への突出量を変更できる。例えば坪量の大きいシートのようにシートが変形しにくく吸着しにくいものには、他シート種類より突き出し量を小さくすることでシートの変形を小さくする。このため、最上シート１Ａの静電吸着ベルト１３Ａへの吸着を妨げることなく、また最上シート１Ａ分離を良好に行うことができる。
【００５２】
この突起部材１３Ｆは突起量変更手段１３Ｇにより、シート坪量やサイズに応じて突出し量を−５ｍｍから５ｍｍまで変更できる。例えば坪量の大きいシートのようにシートが変形しにくく吸着しにくいものには、他シート種類より突き出し量を小さくすることでシートの変形を小さくできるので、静電吸着ベルト１３Ａへの吸着を妨げることなく、またシート間分離も良好に行うことができる。
【００５３】
突起量変更手段１３Ｇの図示をしていない制御部は、シート収納部１１に積載されたシート坪量、シート種類、シートサイズに応じて、最上シート１Ａ吸着時の静電吸着ベルト１３Ａ吸着面と最上シート１Ａの間隔ｄ、また最上シートの分離を行うエアー送風部１４から送風されるエアー量ｅ、密着シートの押し下げを行うエアー送風部１４から送風されるエアー量ｅを変更するテーブルを蓄積している。
【００５４】
図７は上質紙を代表とした非塗工紙とコート紙を代表とした塗工紙の異なる種類のシートに対し、シート坪量とシートサイズに応じた間隔とエアー量の組み合わせを示したテーブルを示す図である。図７（ａ）、（ｂ）は上質紙を代表とした非塗工紙とコート紙を代表とした塗工紙の異なる種類のシートに対し、シート坪量とシートサイズに応じた最上シート１Ａと静電吸着ベルト１３Ａとの間隔ｄとエアー送風部１４から送風されるエアー量ｅの組み合わせを示したテーブルである。また、図７（ｃ）、（ｄ）は、同様にシート種類に応じた突起部材１３Ｆの突き出し量ｆを示したテーブルである。最上シート１Ａをエアー送風部１４によって浮揚させた状態で静電吸着ベルト１３Ａに吸着させる動作において、シート坪量、シート種類、シートサイズが変更されても最も適切な間隔ｄとエアー量ｅの組み合わせ、突起部材の突き出し量ｆをテーブルから選択することによって、良好にシート搬送動作を行うことができる。
【００５５】
なお、図７の各テーブルはシート坪量、シート種類、シートサイズに応じて全て異なる値でもよいし、同じでもよい。例えば、シートサイズをＡ３未満とＡ３以上の境界で充分な性能が発揮できるシート搬送装置１０であれば、
ｄ１ａｘ＝ｄ１ｂｘ、
ｄ１ａｙ＝ｄ１ｂｙ、
ｄ１ａｚ＝ｄ１ｂｚ、
ｅ１ａｘ＝ｅ１ｂｘ、
ｅ１ａｙ＝ｅ１ｂｙ、
ｅ１ａｚ＝ｅ１ｂｚ
等としてもよい。
【００５６】
本実施形態のシート搬送装置１０では、最上シート１Ａは、次のようにシート束１から分離搬送される。
【００５７】
（１）シート収納部１１に積載されたシート束１を、シート昇降部材駆動手段１８によって上昇させる。このとき、静電吸着ベルト１３Ａ吸着面と最上シート１Ａとが、設定された間隔ｄとなるように制御する。
【００５８】
（２）エアー送風部１４を稼働し、同時に静電吸着ベルト給電装置１３Ｄを稼働して静電吸着ベルト１３Ａに最上シート１Ａを静電吸着させる。このとき、エアー送風部１４からのエアーは、最上シート１Ａの搬送上流側を浮揚させて、静電吸着ベルト１３Ａで吸着可能な状態まで前記シート束から分離させる（図５（ｂ）、図６（ａ））。エアー送風部１４から送風されるエアーの一部がエアー反射板２０に当たるが、ベルト間の上方に向かうエアーの流れに沿ってエアーは静電吸着ベルト１３Ａ、１３Ａの間の隙間Ｋに抜ける。このため、搬送する最上シート１Ａと静電吸着ベルト１３Ａ、１３Ａとの間にエアーがたまらず、最上シート１Ａを静電吸着ベルト１３Ａ、１３Ａに安定的に吸着することができる。
【００５９】
（３）静電吸着ベルト駆動手段１３Ｅを稼働して静電吸着ベルトユニット１３１、１３２の静電吸着ベルト１３Ａを回転させて、最上シート１Ａを搬送する（図６（ｂ））。このとき、搬送している最上シート１Ａが２つの静電吸着ベルト１３Ａ、１３Ａの隙間Ｋをおおった場合でも、突起部材１３Ｆにより、最上シート１Ａと２枚目のシートとの間に隙間が形成され、この隙間にエアーが流入し、２枚のシートは離間する（図６（ｂ））。また、エアー送風部１４からのエアーはエアー反射板２０で反射され、最上シート１Ａと最上シート１Ａより下位のシートの間にエアーが入りこむ。これにより、最上シート１Ａと最上シート１Ａより下位のシートの分離が良好に行われる。
【００６０】
（４）先端が次の搬送ローラに到達と同時に静電吸着ベルト給電装置１３Ｄと静電吸着ベルト駆動手段１３Ｅを停止する。
【００６１】
（５）静電吸着ベルト１３Ａ吸着面と最上シート１Ａとが、設定された間隔ｄとなるようにシート昇降部材駆動手段１８を制御部で制御する。
【００６２】
（６）以降、シート収納部１１のシート全てを搬送するか、シート搬送動作終了の信号を受信するまで前記動作（２）から前記動作（５）までを繰り返し継続する。
【００６３】
以上説明したように、本実施形態に係るシート搬送装置１０によれば、浮上した最上シートが搬送下流側に進むに従ってシートの左右がそれぞれシートの搬送中心線２３から遠ざかるように進む。このため、その結果シートの左右が広げられ、浮上した最上シートに発生したひずみを伸ばしてシワやヨレ等の変形を解消することができる。
【００６４】
＜実施形態２＞
次に本発明に係るシート搬送装置の実施形態２に係るシート搬送装置について説明する。図８は本発明に係るシート搬送装置の実施形態２に係るシート搬送装置の静電吸着ベルトの配置状態を示すものであり、（ａ）は第１の状態を示す模式図、（ｂ）は第２の状態を示す模式図、（ｃ）は駆動力伝達機構を示す模式図である。
【００６５】
上述した実施形態１に係るシート搬送装置では、駆動ローラ１３Ｂと従動ローラ１３Ｃ位置を、鉛直方向の同位置で固定とした。これに対して実施形態３に係るシート搬送装置３０では、駆動ローラ１３Ｂ、従動ローラ１３Ｃ共に、図１１（１）で示す吸着位置と、図１１（２）に示す搬送位置とを、鉛直方向に往復させる構成とした。他の構成は実施形態１または実施形態２に係るシート搬送装置と同じである。
【００６６】
＜実施形態３＞
次に本発明に係るシート搬送装置の実施形態３に係るシート搬送装置について説明する。図９は本発明に係るシート搬送装置の実施形態３に係るシート搬送装置の駆動ローラと従動ローラの位置を示すものであり、（ａ）は吸着位置を示す模式図、（ｂ）は搬送位置を示す模式図である。実施形態３に係るシート搬送装置４０では、駆動ローラ１３Ｂ、従動ローラ１３Ｃおよび従動ローラ１３Ｃの位置を図１２（ａ）で示す吸着位置と図１２（ｂ）に示す搬送位置とを、角度θをなすだけ、鉛直方向に往復させる構成とした。他の構成は実施形態１または実施形態２に係るシート搬送装置と同じである。
【００６７】
＜実施形態４＞
次に本発明に係るシート搬送装置の実施形態４に係るシート搬送装置について説明する。図１０は本発明に係るシート搬送装置の実施形態４に係るシート搬送装置を示すものであり、（ａ）、（ｂ）は第１のエアー送風部の動作を示す模式図、（ｃ）は第２のエアー送風部の動作を示す模式図、図１１は同シート搬送装置を示す平面図、図１２は同シート搬送装置のエアーの送風状態を図１０中Ｚ方向から見たものであり、（ａ）、（ｂ）はシート搬送装置の搬送動作を順次示す模式図、図１３は同シート搬送装置のエアー送風部からの送風角度を示すものであり、（ａ）はエアー送風状態を示す模式図、（ｂ）はエアー送風角度を示す表である。
【００６８】
本実施形態に係るシート搬送装置５０は、エアー送風部１４としての第１のエアー送風部１４Ａおよび第２のエアー送風部１４Ｂと、静電吸着ベルト１３Ａ、１３Ａの周囲に配置したシート浮揚防止板２９とを備える。
【００６９】
第１のエアー送風部１４Ａは、静電吸着ベルト１３Ａの直下以外の箇所、例えば図１２（ａ）、（ｂ）に示すように、静電吸着ベルト１３Ａ、１３Ａの間の隙間Ｋの直下に設けられている。第１のエアー送風部１４Ａから送風されるエアーは隙間Ｋに向かうよう、方向や位置が設定されている。第１のエアー送風部１４Ａからエアーを送風することにより、最上シート１Ａおよび最上シート１Ａの辺１Ｂ付近のシートを浮揚させ、静電吸着ベルト１３Ａに接近、あるいは接触させる。また、第１のエアー送風部１４Ａエアーを送風することで最上シート１Ａおよびそれ以下のシート間にエアーを流し、複数のシートを互いに分離させることができる。
【００７０】
また静電吸着ベルト１３Ａの吸着面近傍を通るエアーは、図１２（ａ）に示すように、最上シート１Ａが吸着される前において、各静電吸着ベルト１３Ａ、１３Ａの隙間Ｋへ抜ける。このため、静電吸着ベルト１３Ａ、１３Ａと最上シート１Ａとの間にエアーが入らず、最上シート１Ａの吸着を良好に行うことができる。
【００７１】
最上シート１Ａが吸着された後は、図１２（ｂ）に示すように、最上シート１Ａによって隙間Ｋがふさがれるため、最上シート１Ａと最上シート１Ａの次のシートとの間にエアーが入りこみ、シート間分離を良好に行うことができる。ここで、第１のエアー送風部１４Ａからのエアーは、静電吸着ベルト１３Ａの下以外の範囲に送風されており、シートの静電吸着ベルト下部分を浮揚していないため、サイズの大きいシートにおいては、浮揚が不十分となり吸着できないことがある。
【００７２】
そこで実施形態５に係るシート搬送装置５０では、静電吸着ベルト１３Ａの下にエアーを送風する第２のエアー送風部１４Ｂを備える。第２のエアー送風部１４Ｂからエアーを出すノズルは、図１０（ｃ）に示すように、ノズル上部の送風側の延長線と吸着面との交点を最上シート１Ａの搬送下流側の端部付近にしている。これにより、静電吸着ベルト１３Ａと最上シート１Ａ間を通過するエアーよりも、最上シート１Ａを浮揚させるエアー量が増すため、吸着を安定させることができる。
【００７３】
また、第２のエアー送風部１４Ｂはエアー移動手段で上下方向に移動できるものとし、坪量の大きいシート等浮揚力がより必要なシート種類の場合に、下方へ移動する。第２のエアー送風部１４Ｂの位置を下げることにより、ノズル上部の延長線上、すなわち送風方向と吸着面との交点が最上シート１Ａ先端位置より搬送上流側へと移動し、シート束下からのエアーが増しシート浮揚力が増すため、最上シートの浮揚が安定する。エアー移動手段は、エアー送風部１４を、第２のエアー送風部１４Ｂのノズル上部の送風方向の延長線上と吸着面との交点が、最上シートの搬送下流側の端部位置付近から前記最上シートの搬送下流側の端部位置より上流側となるよう上下方向に移動できる。
【００７４】
ここで、静電吸着ベルト１３Ａの下にエアーを送風したことで、最上シート１Ａが静電吸着ベルト１３Ａの吸着面に対して平坦になりにくくなり、最上シート上の吸着部分に偏りが生じることがある。最上シート１Ａが静電吸着ベルト１３Ａの吸着面に対して平坦でないとき、静電吸着ベルト１３Ａに吸着力を発生させた瞬間、最上シート１Ａの静電吸着ベルト１３Ａに接触している部分がまず吸着し、吸着前に通過していたエアーの流路をふさぐことになる。
【００７５】
これが起こるとエアーが静電吸着ベルト１３Ａと最上シート１Ａ間に滞留することになり、最上シート１Ａと静電吸着ベルト１３Ａの吸着が不十分なものとなってしまう。特に変形しやすいシート種類に対応するため、最上シート１Ａの静電吸着ベルト１３Ａ下の部分を充分に浮揚させ、かつ最上シート１Ａが吸着面に対して極力平坦にする必要がある。
【００７６】
これに対処するため、第１のエアー送風部１４Ａおよび第２のエアー送風部１４Ｂのエアーの送風角度を以下のように設定する。このエアーの送風角度は実験により求めたものである。より大きいと吸着面にエアーが当たったときその反射が大きくなり、最上シートと次最上シート間の分離に有利に働き、小さいほど吸着面のエアー反射が低くシート後方にエアーが通過しやすくなる。
【００７７】
このため、前記第１のエアー送風部１４Ａから送風されるエアーと静電吸着ベルト１３Ａのシート搬送面とがなすエアー送風角度αを、第２のエアー送風部１４Ｂから送風される前記エアーとシート搬送面とがなすエアー送風角βよりも大きくする。図１２は同シート搬送装置のエアー送風部からの送風角度を示すものであり、（ａ）はエアー送風状態を示す模式図、（ｂ）はエアー送風角度を示す表である。
【００７８】
図１２（ａ）に示したようにエアー送風角を定めたとき、第１のエアー送風部１４Ａのエアー送風角度αを２０°より大きく、また第２のエアー送風部１４Ｂのエアー送風角βを０〜２０°以下の範囲とする。これにより、第１のエアー送風部１４Ａのエアーにより、最上シート１Ａと最上シート１Ａの次のシートの間の分離は良好となる。また、第２のエアー送風部１４Ｂからのエアーは、最上シート１Ａの搬送上流端方向に通過しやすくなるので、最上シート形状の変形を低減させることができる。
【００７９】
シート浮揚防止板２９は、静電吸着ベルト１３Ａの範囲の搬送方向、搬送方向に直角方向に一定の長さで延びたものとする（図１１中に斜線で示した部分）。シート浮揚防止板２９は、静電吸着ベルト１３Ａ、１３Ａの吸着面からはみ出るような大きなサイズのシートの浮揚防止のため設ける。大きなサイズのシートの場合、静電吸着ベルト１３Ａ、１３Ａの吸着面以外のシート部分のエアーによる浮揚量が大きくなってしまい、シート全体が変形し吸着面に対して平坦にならないことがある。シート浮揚防止板２９はこの状態にいたることを防止する。シート浮揚防止板２９は、その表面位置と吸着面との高さの差が０〜１ｍｍの範囲とすることが好適である。
【００８０】
シート浮揚防止板２９を配置することにより、最上シート１Ａの変形が低減され、最上シート１Ａの静電吸着ベルト１３Ａへの吸着を安定させることができる。また、このシート浮揚防止板２９にはエアーが通過できる穴部として通気穴を開設しておき、静電吸着ベルト１３Ａの下、およびその周辺のエアーの滞留を防止することが好ましい。
【００８１】
なお、シート搬送装置５０では、辺１Ｂに対向する位置のみにエアー送風部１４を配置したが、辺１Ｄ、辺１Ｅの対向する位置に一箇所または複数カ所配置してもよい。
【００８２】
図１４は上質紙を代表とした非塗工紙とコート紙を代表とした塗工紙の異なる種類のシートに対し、シート坪量とシートサイズに応じた間隔とエアー量の組み合わせを示したテーブルを示す図である。最上シート１Ａをエアー送風部１４によって浮揚させた状態で静電吸着ベルト１３Ａに吸着させる動作において、シート坪量、シート種類、シートサイズが変更されても最も適切な間隔ｄとエアー量ｅの組み合わせをテーブルから選択することによって、良好にシート搬送動作を行うことができる。
【００８３】
なお、図１４に示したテーブルはシート坪量、シート種類、シートサイズに応じて全て異なる値でもよいし、同じでもよい。例えば、シートサイズをＡ３未満とＡ３以上の境界で充分な性能が発揮できるシート搬送装置１０であれば、
ｄ１ａｘ＝ｄ１ｂｘ、
ｄ１ａｙ＝ｄ１ｂｙ、
ｄ１ａｚ＝ｄ１ｂｚ、
ｅ１ａｘ＝ｅ１ｂｘ、
ｅ１ａｙ＝ｅ１ｂｙ、
ｅ１ａｚ＝ｅ１ｂｚ
等としてもよい。
【００８４】
＜実施形態５＞
次に本発明に係るシート搬送装置の実施形態５に係るシート搬送装置について説明する。図１５は本発明に係るシート搬送装置の実施形態５に係るシート搬送装置を示す側面図。図１６は同シート搬送装置の搬送ガイド板の作用を示すものであり、（ａ）は最上シートを吸着して搬送する状態を図１４の右側から見て示す図、（ｂ）は押し下げエアー送風部からのエアーの一部が搬送ガイド板内でシートの下面で反射されて下向きに流れる押し下げエアーとして作用する状態を示す拡大図である。
【００８５】
実施形態５に係るシート搬送装置６０は、実施形態１に係るシート搬送装置の構成のエアー反射板２０に代え、図１５に示すように垂直方向に間隔を開けて配した一対の搬送ガイド板６１、６１（以下、単に搬送ガイド板６１と記載する。）を備える。搬送ガイド板６１は、両側の板材にエアー通過用の通気部を備えた板状部材である。
【００８６】
図１６に示すように、エアー送風部１４からエアーＡで分離できずに、最上シート１Ａだけでなく、２枚目以降のシートも静電吸着ベルト１３Ａに吸着され、密着して搬送され場合についてみる。この場合でも、静電吸着ベルト１３Ａの下流搬送部に設けられたエアー送風部１４からのエアーＡの一部が、シート（図示の例では最上シート１Ａの下面）で反射されて下向きに流れる押し下げエアーＡｘとして作用して、最上シート１Ａのみが分離搬送される。
【００８７】
すなわち、図１６（ｂ）に示すように、シートが搬送ガイド板６１の通気孔を設けた部位に到達する前は、押し下げエアーＡｘが搬送ガイド板６１の通気穴を通過し、シートが搬送ガイド板６１間に入ってきて通気穴を一部でもおおうに到達する。すると、エアーによりシートが変形するため、最上シート１Ａと、それに密着したシート（例えば２枚目のシート）間に、図示のようにエアーが入りこみ、このエアーが押し下げエアーＡｘが入りこむ。それによって密着した２枚あるいはそれ以上の複数枚のシートから最上シート１Ａが分離し、最上シート１Ａだけを搬送できるようにしている。
【００８８】
シートが搬送ガイド板６１に達しておらず、通気孔を通してエアーＡを通過させ、密着したシートが搬送されてきたときは、エアーＡがシートに反射して密着したシートに対する押し下げエアーＡｘとして作用する。これにより、安定したシート搬送および、分離を行うことができる。ここで、搬送ガイド板６１の通気孔の図示は省略している。なお図１７（ａ）に示すように、通気孔６１ａの形状をシート搬送下流側が閉じたホームベース型のスリット形状（幅３ｍｍ〜５ｍｍ）をなすようにすることで、シートが引っ掛からないよう構成する。
【００８９】
また、図１７（ｂ）に示すように、搬送ガイド板６１のシートと接触する箇所に突起６１ｂを設けることで、密着して搬送されてきたシートを変形させ、最上シートと密着しているシートとの間に押し下げエアーＡｘを入りこみやすくできる。これにより、安定したシートの分離を行うことができる。突起形状は半円形状（Ｒ１〜Ｒ５）をなしており、シートにダメージを与えない構成となっている。本構成では突起形状を中央上部に１箇所の突起形状を設けたが、突起形状は上部だけではなく下部に設けたり、複数箇所に設けたりする構成でもよい。
【００９０】
＜実施形態６＞
次に本発明に係るシート搬送装置の実施形態６に係るシート搬送装置について説明する。実施形態６に係るシート搬送装置７０は、エアー反射板２０を移動できるように構成したものである。
【００９１】
図１８は本発明に係るシート搬送装置の実施形態６に係るシート搬送装置を示すものであり、（ａ）は側面図、（ｂ）は（ａ）中のＡ方向からの矢視図である。また、図１９、図２０は同シート搬送装置の動作を示すものであり、（ａ）は側面図、（ｂ）は（ａ）中のＡ方向からの矢視図である。
【００９２】
シート搬送装置７０の主要な構成は、上述した実施形態のものと同じである。すなわち、シート搬送装置７０にはシート束１を収納するシート収納部１１を有しており、シート収納部１１上方には静電吸着ベルト装置１３を備えている。シート収納部１１にはシート束を上昇させるシート昇降部材１２とシート昇降部材１２を昇降させるシート昇降部材駆動手段１８とを有している。シート収納部１１下流側にはエアー送風部１４が設けられている。
【００９３】
エアー送風部１４からシート束１に対してエアーを送ることでシート束１の最上シート１Ａと最上シート１Ａ近傍のシートを浮揚させつつ、シート間を分離させる。静電吸着ベルト装置１３は、駆動ローラ１３Ｂと従動ローラ１３Ｃに掛け渡された静電吸着ベルト１３Ａを備えており、駆動ローラ１３Ｂは静電吸着ベルト駆動手段１３Ｅにより回転駆動可能となっている。静電吸着ベルト駆動手段１３Ｅは、複数の電極２１を絶縁層２２によって被覆したシート状の媒体をベルトにしたものである（図６参照）。複数の電極２１はプラス電極２１Ａとマイナス電極２１Ｂとが交互に配列されている。
【００９４】
これら電極２１へ静電吸着ベルト給電装置１３Ｄから電圧を印加すると誘電分極が発生し、シート束１の最上シート１Ａの吸着面が分極するため、静電吸着ベルト１３Ａとの間に静電吸着力（クーロン力）が発生する。この静電吸着力により最上シート１Ａを静電吸着ベルト１３Ａに吸着することができる。また、これら静電吸着ベルト部は、図１８（ｂ）に示すように、隙間Ｂを設けつつ２つの静電吸着ベルト１３ａ、１３ｂで構成される。
【００９５】
隙間Ｂには、エアー送風部１４からのエアーを反射することが可能なエアー反射板２０を有している。このエアー反射板２０はエアー反射板駆動部７１により最上シート１Ａと平行な状態（反射板閉状態：図２０）と最上シート１Ａに対して斜めの状態（反射板開状態：図１９）とが切り替え可能となっている。
【００９６】
反射板閉状態であれば、図２０に示すように、エアー反射板２０は、エアー送風部１４からのエアーを反射することができる。一方、図１９に示すように、エアー反射板２０が反射板開状態であれば、エアー送風部１４からのエアーを静電吸着ベルト装置１３の静電吸着ベルト１３ａ、１３ｂの隙間Ｂから逃がすことできる。また、静電吸着ベルト装置１３の下流側にはシートの端部を検知可能なセンサー部７２とシートを搬送可能なローラ対７３が配置されている。これらにより、静電吸着ベルト装置１３から搬送されたシートを下流側に搬送することが可能となっている。
【００９７】
次に実施形態６に係るシート搬送装置７０の動作について説明する。図２１は同シート搬送装置の動作を示すフローチャートである。図１９に示すように、エアー送風部１４からエアーを送り（ステップＳ１）、シート束１の最上シート１Ａおよび最上シート１Ａ近傍のシートを浮揚させつつ、シート間を分離させる。その際に、エアー反射板２０は図１９に示すように様に反射板開状態となっている。これにより、静電吸着ベルト装置１３の静電吸着ベルト１３ａ、１３ｂの隙間Ｂからエアーが抜けることができる。これにより、静電吸着ベルト装置１３と最上シート１Ａとの間にエアーがたまらず最上シート１Ａをエアーにより押し下げることがない。その後、エアーにより浮揚した最上シート１Ａが静電吸着ベルト１３Ａに接するＣ[sec]の間待機する（ステップＳ２）。
【００９８】
次いで、静電吸着ベルト給電装置１３Ｄにより、静電吸着ベルト１３Ａに電圧を印加する。これにより、最上シート１Ａが静電吸着ベルト１３Ａに吸着される（ステップＳ３）。このとき、エアー反射板駆動部７１でエアー反射板２０を反射板閉状態とする（ステップＳ４）。このようにすることで、図２０に示したように、エアー送風部１４からのエアーをエアー反射板２０で反射させ、最上シート１Ａ近傍のシート上面に吹き付けることができる（図２０参照）。これにより、最上シート１Ａを近傍のシートから分離することができる。
【００９９】
さらに、静電吸着ベルト駆動手段１３Ｅで駆動ローラ１３Ｂを回転駆動させ（ステップＳ５）、静電吸着ベルト１３Ａを駆動し、吸着させた最上シート１Ａを下流のローラ対７３に搬送する。最上シート１Ａの先端がローラ対７３到達したら（ステップＳ６）、静電吸着ベルト給電装置１３Ｄを停止し、静電吸着を終了させる（ステップＳ７）。また、エアー反射板駆動部７１でエアー反射板駆動部７１を反射板開状態にし、駆動ローラ１３Ｂを停止させる（ステップＳ９）。このとき、エアー送風部１４からのエアーは最上シート１Ａで反射されており、最上シート１Ａ近傍のシートは押し下げされた状態となっている。
【０１００】
次いで、ローラ対７３により搬送されたシートの後端をセンサー部７２が検出したとき（ステップＳ１０）、エアー送風部１４からのエアーが反射することなく、静電吸着ベルト１３ａ、１３ｂの隙間Ｂから抜ける。このため、最上シート１Ａの次のシートがエアーにより浮揚して静電吸着ベルト装置１３で搬送できる状態となっている。
【０１０１】
これらの動作を停止命令もしくはシート束１がなくなるまで行う。シート搬送装置７０によれば、最上シート１Ａが静電吸着ベルト１３ａに吸着する前はエアー送風部１４からのエアーを静電吸着ベルト１３ａ、１３ｂ間の隙間Ｂに送る。また、最上シート１Ａが吸着したときはエアー送風部１４からのエアーが最上シート１Ａの近傍のシート上面へと送られ最上シート１Ａの吸着を妨げることなく、安定的にシート間分離を行い、シート搬送を行うことができる。
【０１０２】
＜実施形態７＞
次に本発明に係るシート搬送装置の実施形態７に係るシート搬送装置について説明する。図２２は本発明に係るシート搬送装置の実施形態７に係るシート搬送装置を示すものであり、（ａ）は側面図、（ｂ）は（ａ）中のＡ方向からの矢視図である。また、図２３、図２４は同シート搬送装置の動作を示すものであり、（ａ）は側面図、（ｂ）は（ａ）中のＡ方向からの矢視図である。
【０１０３】
実施形態７に係るシート搬送装置８０は、エアー反射板駆動部７１が最上シート１Ａに対して平行に配置されている。また、エアー反射板駆動部７１は、図２３に示すように、エアー反射板２０を水平方向に、最上シート１Ａの先端よりも搬送方向下流側にエアー反射板２０の後端が位置するように移動する。これにより、エアー反射板２０は、反射板開状態（図２３参照）とすることができ、静電吸着ベルト１３ａ、１３ｂの隙間Ｂからエアー送風部１４からのエアーを抜くことができる。
【０１０４】
また図２４に示すように、エアー反射板駆動部７１でエアー反射板２０を最上シート１Ａの先端よりも搬送方向上流側に移動することができる。エアー反射板２０を反射板閉状態として、エアー送風部１４からのエアーをエアー反射板２０で反射させ、最上シート１Ａ近傍のシート上面に吹き付けることができる。
【０１０５】
なお、以上説明してきた本発明の実施形態に係るシート搬送装置は、画像形成装置、例えばデジタルコピー機、プリンター、ファクシミリ、オフセット印刷機においてシート搬送動作を向上させるために用い得る。また、その他の画像形成装置や、類似の他の装置に搭載して用い得る。
【０１０６】
また本発明は以上説明した実施形態に限定されるものではなく、多くの変形が本発明の技術的思想内で当分野において通常の知識を有する者により可能である。
【符号の説明】
【０１０７】
１：シート束
１Ａ：最上シート
１０：シート搬送装置
１１：シート収納部
１２：シート昇降部材（シート昇降手段）
１３：静電吸着ベルト装置
１３Ａ：静電吸着ベルト
１３Ｂ：駆動ローラ
１３Ｃ：従動ローラ
１３Ｄ：静電吸着ベルト給電装置
１３Ｅ：静電吸着ベルト駆動手段
１３Ｆ：突起部材
１３Ｇ：突起量変更手段
１４：エアー送風部
１４Ａ：第１のエアー送風部
１４Ｂ：第２のエアー送風部
１５Ａ、１５Ｂ：搬送方向側端部規制部材
１８：シート昇降部材駆動手段
１９：制御手段
２０：反射板
２１：電極
２１Ａ：プラス電極
２１Ｂ：マイナス電極
２２：絶縁層
２３：搬送中心線
２４Ａ：駆動力伝達機構
２４Ｂ：駆動力伝達機構
２５：スプライン継ぎ手
２５Ａ：雌スプライン
２５Ｂ：雄スプライン
２７Ａ、２７Ｂ：等速ジョイント
２８：駆動ギア
２８Ａ：駆動ギア
２８Ｂ：回転伝導装置
２９：シート浮揚防止板
６１、６１：搬送ガイド板
６１ａ：通気孔
６１ｂ：突起
７０：シート搬送装置
７１：エアー反射板駆動部
７２：センサー部
８０：シート搬送装置
１００：複写機（画像形成装置）
１１０：自動原稿搬送装置
１２０：原稿読取部
１３０：給紙部
１３１、１３２：静電吸着ベルトユニット
１４０：画像形成部
１５０：給紙カセット
１６０：シート分離給紙装置
１７０：搬送経路
１８０：搬送ローラ対
１９０：転写ローラ
２００：定着器
２１０：排紙ローラ対
２２０：排紙トレイ
２３０：作像部
２３０Ｙ、２３０Ｃ、２３０Ｍ、２３０ＢＫ：作像部
２４０：中間転写ベルト
２５０：露光装置
２６０：感光体
２７０：帯電部
２８０：現像部
２９０：クリーニング部
【先行技術文献】
【特許文献】
【０１０８】
【特許文献１】特開２００７−４５６３０号公報
【図１】
2014062000.tif 000003
【図２】
2014062000.tif 000004
【図３】
2014062000.tif 000005
【図４】
2014062000.tif 000006
【図５】
2014062000.tif 000007
【図６】
2014062000.tif 000008
【図７】
2014062000.tif 000009
【図８】
2014062000.tif 000010
【図９】
2014062000.tif 000011
【図１０】
2014062000.tif 000012
【図１１】
2014062000.tif 000013
【図１２】
2014062000.tif 000014
【図１３】
2014062000.tif 000015
【図１４】
2014062000.tif 000016
【図１５】
2014062000.tif 000017
【図１６】
2014062000.tif 000018
【図１７】
2014062000.tif 000019
【図１８】
2014062000.tif 000020
【図１９】
2014062000.tif 000021
【図２０】
2014062000.tif 000022
【図２１】
2014062000.tif 000023
【図２２】
2014062000.tif 000024
【図２３】
2014062000.tif 000025
【図２４】
2014062000.tif 000026
【図２５】
2014062000.tif 000027
【図２６】
2014062000.tif 000028